(57)【要約】      （修正有）【課題】デザイン性を兼ね備えた装飾照明器具であって、例えば街頭、店舗及び家庭室内のリビングに設置する装飾品としての機能を兼ね備えた三次元の装飾照明器具を提供する。【解決手段】装飾照明器具は、内部に文字または図形の輪郭とデザイン構成全体を照射表示する光源部を含み、三次元の閉じられた空間が、文字または図形の輪郭に沿って延びた外周縁を構成する木製の被覆体で形成されている。木製の被覆体は、内部の耐熱効果を保持させるために、ガラスでコーティングした薄膜の素材を使用し、コーティングするガラスには熱の発散を促す微細空孔を設ける。【選択図】図１
0003222212.tif 000002
【実用新案登録請求の範囲】
【請求項１】
文字または図形デザインをあしらった三次元の閉じられた空間を構成する装飾照明器具であって、
当該装飾照明器具の内部において、
文字または図形の輪郭とデザイン構成全体を照射表示する光源部を含む装飾照明器具。
【請求項２】
三次元の閉じられた空間が、文字または図形の輪郭に沿って延びた外周縁を構成する木製の被覆体で形成されていることを特徴とする請求項１に記載の装飾照明器具。
【請求項３】
被覆体内部がガラスでコーティングされていることを特徴とする請求項１又は請求項２に記載の装飾照明器具。
【請求項４】
被覆体内部に微細空孔の構造を設けたことを特徴とする請求項１乃至３に記載の装飾器具。
【考案の詳細な説明】
【技術分野】
【０００１】
本考案は、デザイン性を兼ね備えた照明器具である。さらに詳細には、例えば街頭、店舗及び家庭室内のリビングに設置する装飾品としての機能を兼ね備えた三次元の装飾照明器具に関するものである。
【背景技術】
【０００２】
照明器具は日常生活においては欠かせない日用アイテムである。また、建築物の趣味や嗜好の多様化に呼応して、インテリアデザインに合う装飾的な照明器具の創作がアメニティ空間の実現にも不可欠となった。
さらに、照明機器具の装飾は、その形状もさることながら、光源の強さや色、光源のハウジングに用いられる質感や材質も含めた演出が消費者から求められている。
【０００３】
装飾照明器具は、店舗では門扉や外灯および内装に至るまでの統一感ある独自のシステムデザインが創作され、一般家庭にも普及している。店舗においては、広告看板としての応用も多い。一般家庭では玄関やリビングでオブジェとして楽しむ要素も多い。
【０００４】
特許文献１には、光を利用した装飾体が開示されている。当該装飾体は、照明器具、照明オブジェその他インテリアとして使用できるアート的なものであって、ガラス体やアクリル樹脂体を多数並置し、その下端面に光をあてることによりガラス体等の先端部の形状や細工の状況に応じて趣のある装飾効果を演出するものである。しかしながら、本考案は、オブジェやインテイリア的には優れるが、照明器具としての実用性に劣り、開放型の装飾部分は塵や誇りを抱き込みやすくメンテナンスが簡便でない。
【０００５】
特許文献２には、インテリア用の照明器具等に使用される発光装置に関するものが開示されている。当該発光装置は、従来の単調な光ファイバ発光を改良したものであり、色彩が微妙に変化して発光する照明効果と装飾効果を奏するものである。十分な照明効果を保持させるためには、光源を強める必要があり、この場合に発熱するエネルギーを如何に逃がすかが重要である。この点、本考案ではファンを搭載して放射熱をコントロールしているが、被覆体に絹繊維膜を使用するものであり、熱遮断のバランスを欠くと焼ける恐れがあり、実用面での課題が残されていた。
【０００６】
特許文献３は、広告照明器具に関するものである。特に、三次元立体金属文字及びその製造方法を開示するものである。当該技術によれば、視覚的効果と耐久性にはすぐれているが、特殊な金属加工を必要とし生産性に劣っている。
【０００７】
特許文献４も、特許文献３と同様に広告用品の分野に属するものであり、三次元標識とその製造方法に係るものであるが、金属加工がベースになっているため、生産工程の煩雑さに課題を抱えていた。
【０００８】
特許文献５は、所定の情報を表示する表示装置に関する発明であり、主たる目的は、表示情報の輪郭を明確に表示することができる表示装置を提供することであり、他の目的は、光源部から出射された光を効率よく表示装置から出射することができる表示装置を提供することである。当該技術によれば、表示装置内部に籠る熱の放出拡散や光量調整が最適に行われる技術が提供されるものではあるが、熱拡散の効率や制作上における装置構造の簡素化が課題であった。
【０００９】
そこで以上の問題点に鑑み、デザイン性を損なわずに、より手軽で使用性の良い三次元の装飾照明の提供が待たれていた。
【先行技術文献】
【特許文献】
【００１０】
【特許文献１】実開平２−２１９７号公報
【特許文献２】実開平３−１１７２０１号公報
【特許文献３】特表２０１４−５０８３１２号公報
【特許文献４】特表２０１４−５２１１９号公報
【特許文献５】特開２０１３−１２０３５３号公報
【考案の概要】
【考案が解決しようとする課題】
【００１１】
本考案は、上記の問題点に鑑みて提案されたものであって、デザイン性を兼ね備えた装飾照明器具である。さらに詳細には、例えば街頭、店舗及び家庭室内のリビングに設置する装飾品としての機能を兼ね備えた三次元の装飾照明器具を提供することを主たる目的とするものである。
【課題を解決するための手段】
【００１２】
上記課題解決のため、種々検討した結果、最適には木製の被覆体内部にガラスコーティングを施し、デザイン輪郭に適宜微細空胞を設けることによってその目的を達成し、所望の効果を発揮できる本考案を完成するに至った。
【００１３】
すなわち、本考案によれば、文字または図形デザインをあしらった三次元の閉じられた空間を構成する装飾照明器具であって、当該装飾照明器具の内部において、文字または図形の輪郭とデザイン構成全体を照射表示する光源部を含む装飾照明器具が提供される。
また、本考案における三次元の閉じられた空間は、好適には、文字または図形の輪郭に沿って延びた外周縁を構成する木製の被覆体で形成されていることを特徴とするものである。
さらに、当該被覆体内部においては、好適には、ガラスでコーティングされていることを特徴とするものであり、加えて微細空孔の構造を設けたものが包含されるものである。  
【考案の効果】
【００１４】
本考案によれば、文字または図形デザインをあしらった三次元の装飾照明器具が提供され、文字または図形の輪郭とデザイン構成全体を照射表示する実用性と装飾品としての機能を兼ね備えた照明器具である。
当該照明器具において、三次元の閉じた空間を形成する被覆体は、幻想的な光を拡散できるように木製で形成されるものである。
また、木材は、内部の耐熱効果を保持させるために、ガラスでコーティングした薄膜の素材を使用するのが好適であり、コーティングするガラスには熱の発散を促す微細空孔を設けるのが好適である。
【図面の簡単な説明】
【００１５】
【図１】本考案の三次元の装飾照明の一例を示す平面図である。
【図２】本考案の三次元の装飾照明の一例を示す側面（概略）図である。
【考案を実施するための形態】
【００１６】
本考案は、デザイン性を兼ね備えた装飾照明器具であり、例えば街頭、店舗及び家庭室内のリビングに設置する装飾品としての機能を兼ね備えたことを特徴とする三次元の装飾照明器具である。  
【００１７】
本考案によれば、文字または図形デザインをあしらった三次元の閉じられた空間を構成する装飾照明器具であって、当該装飾照明器具の内部において、文字または図形の輪郭とデザイン構成全体を照射表示する光源部を含む装飾照明器具が提供される。
【００１８】
本考案において構成される文字または図形デザインをあしらった三次元の空間は、立体的空間を構成する形状であれば任意であり、漢字、アルファベット、アラビア数字等及び特殊な符号、図案等で構成されるものである。
空間内部には、デザイン化された文字または図形を照射表示すべく光源を備える。ここで、設置する光源は、使用の目的や空間を仕切る素材に応じて適宜選択し得るが、光量調整と熱量の関係からＬＥＤが好適である。光源固定内部の背面は、ＬＥＤから出射した光が効果的に拡散するよう、白色が好適である。空間を構成する素材として可燃性の木材を使用した場合を想定すると、耐火・耐熱性を考慮した加工を要するところ、光源の固定部位を含め、内部の空間にはガラスコーティングが好適である。他にコーティング素材としては、耐火・耐熱の特性を有し、成型加工し易いものであれば特に採択上の制限はされない。コーティングのタイプはガラス硬化系コーティングとガラス系コーティングに大別され、前者は、ポリシラザンコーティングが好適に使用でき、後者は、シリコーン、ケイ素化合物、水性シランまたはフッ素化合物を含むコーティング剤が好適に使用できるものであるが、いずれも光源熱量や使用の目的に応じて適宜選択し得るものである。
光源固定部への電力供給源としては、設置場所により任意に組合せできるが、例えば、戸外においては太陽光エネルギーをバッテリーに蓄電しコードレスで利用すること等が含まれる。
【００１９】
幻想的なイメージを演出するには、ＬＥＤ光源と木製の被覆体の組み合わせが好ましく、三次元の閉じられた空間は、例えば、デザイン化された文字または図形の輪郭に沿って延びる外周縁を構成する木製の被覆体を形成した装飾照明器具が好ましい。  
【００２０】
被覆体内部は、使用環境や使用時間の如何では熱の滞留が発生するため、例えば微細空孔の構造を設けるのが好ましい。被覆体自体には先述の耐熱用のコーティングを施したうえで、公知の技法によって熱を逃がすための空孔の構造を備えても良いし、コーティングの被覆体に微細空孔を設けて使用しても良い。
【００２１】
本考案においては、用途に応じて被覆体の素材と光源の光量や色彩を適宜採択して所望の装飾照明器具を構成するものであり、例えば、お寺の歩道の外灯や街頭、店舗及び家庭室内のリビングに設置する装飾品として利用し得るものである。
【００２２】
このようにして仕上げた本考案に係る装飾照明器具は、多様な用途に適応し得るものであり、実用的な機能はもちろん、携行性およびデザイン性にも優れているものである。
【実施例】
【００２３】
以下、添付図面に従い、実施例により本考案をさらに具体的に説明するが、本考案の範囲は当該実施例に限定されるものではない。  
【００２４】
図１に本考案の三次元の装飾照明器具の一例を平面図で示した。１は本考案の装飾照明器具の被覆体の輪郭であり、その上部に重ねた円形の被覆体の輪郭が２である。３は、固定手段として使用するワイヤーである。
【００２５】
図２には本考案の三次元の装飾照明器具の実施態様を構造的な一例を含めて側面（概略）図で示した。
４は光源（ランプ）であるが、設置の位置は当然のことながら、デザイン化された被覆体との相対的関係で最適化される。また、光量についても同様であり、室内か屋外の設置かによって、またデザインイメージとの関係で被覆体の選択が変わり、その選択素材の相性において任意に調整されるものである。
被覆体内部６には、通常ガラス素材をコーティングする。熱の滞留防止・改善のためには微細な空孔を設ける。
【符号の説明】
【００２６】
１  装飾照明器具の被覆体輪郭
２  中央部の被覆体輪郭
３  中央部の被覆体固定のワイヤー
４  光源（ランプ）
５  被覆体の背面を構成する基板
６  被覆体内部に連続的にコーティングされた部位
【図１】
0003222212.tif 000003
【図２】
0003222212.tif 000004